(57)【要約】【課題】安価で耐久性に優れ、回転体に搭載された電気、電子部品への給電を行うことができる遊技機の可動装飾装置を提供する。【解決手段】モータと、該モータの駆動力により本体に対して正逆両方向に回転可能とした回転体とからなる遊技機の可動装飾装置において、前記回転体の回転数を規制する回転数規制手段を備え、前記回転体規制手段により規制された範囲内で正逆回転する回転体の回転体軸１３の外周に、フレキシブルフラットケーブル１７を渦巻状に巻き付け、このフレキシブルフラットケーブル１７を通じて該回転体に設けられた電気、電子部品への給電を行うものとした。【選択図】図４
2014226452.tif 000002
【特許請求の範囲】
【請求項１】
モータと、該モータの駆動力により本体に対して正逆両方向に回転可能とした回転体とからなる遊技機の可動装飾装置において、前記回転体の回転数を規制する回転数規制手段を備え、前記回転体規制手段により規制された範囲内で正逆回転する回転体の回転体軸の外周に、フレキシブルフラットケーブルを渦巻状に巻き付け、このフレキシブルフラットケーブルを通じて該回転体に設けられた電気、電子部品への給電を行うことを特徴とする遊技機の可動装飾装置。
【請求項２】
前記フレキシブルフラットケーブルの巻き付け回数が、該回転体の回転数以上であることを特徴とする請求項１記載の遊技機の可動装飾装置。
【請求項３】
前記回転数規制手段は、ゼネバ機構により回転するゼネバ従動輪に突起を形成し、該突起と該本体の内部に形成したストッパとを当接させることを特徴とする請求項１、または請求項２記載の遊技機の可動装飾装置。
【請求項４】
前記フレキシブルフラットケーブルを収納するフレキシブルフラットケーブルケースを該本体の内部に取付け、該フレキシブルフラットケーブルの一方の端部が、該フレキシブルフラットケーブルケースに形成したスリットを介してフレキシブルフラットケーブルケース外部に導出されることを特徴とする請求項１乃至請求項３のいずれかに記載の遊技機の可動装飾装置。
【請求項５】
前記フレキシブルフラットケーブルケースの外部に導出された該フレキシブルフラットケーブルを、略９０°回転させて圧押するフレキシブルフラットケーブル押さえを備えたことを特徴とする請求項４記載の遊技機の可動装飾装置。
【請求項６】
前記ゼネバ従動輪に遮蔽部を形成し、電子回路基板に備えたセンサによって該回転体の原点位置を検出することを特徴とする請求項３記載の遊技機の可動装飾装置。
【発明の詳細な説明】
【技術分野】
【０００１】
本発明は、発光体等の電気、電子部品が搭載された回転体を持つ遊技機の可動装飾装置に関するものである。
【背景技術】
【０００２】
遊技機には、興趣を高めるために様々な可動装飾装置が取付けられており、例えば特許文献１のような回転発光体がある。このような回転発光体に搭載された発光体には給電をする必要があり、給電には、回転体に対して同心円状に配置された環状の電路に、ブラシを接触させることによって電力や信号を伝達することを可能としたスリップリングが採用されている。しかしながら、スリップリングは高価であり、またブラシが接触により次第に摩耗するため、耐久性に優れない点が問題であった。
【先行技術文献】
【特許文献】
【０００３】
【特許文献１】特願２００５−２２４４３６号公報
【発明の概要】
【発明が解決しようとする課題】
【０００４】
本発明の目的は前記した従来の問題点を解決し、安価で耐久性に優れ、回転体に搭載された電気、電子部品への給電を行うことができる遊技機の可動装飾装置を提供することである。
【課題を解決するための手段】
【０００５】
上記課題を解決するためになされた本発明は、モータと、該モータの駆動力により本体に対して正逆両方向に回転可能とした回転体とからなる遊技機の可動装飾装置において、前記回転体の回転数を規制する回転数規制手段を備え、前記回転体規制手段により規制された範囲内で正逆回転する回転体の回転体軸の外周に、フレキシブルフラットケーブルを渦巻状に巻き付け、このフレキシブルフラットケーブルを通じて該回転体に設けられた電気、電子部品への給電を行うことを特徴とするものである。
【０００６】
請求項２記載の発明は、請求項１記載の遊技機の可動装置において、前記フレキシブルフラットケーブルの巻き付け回数が、該回転体の回転数以上であることを特徴とするものである。
【０００７】
請求項３記載の発明は、請求項１、または請求項２記載の遊技機の可動装置において、前記回転数規制手段は、ゼネバ機構により回転するゼネバ従動輪に突起を形成し、該突起と該本体の内部に形成したストッパとを当接させることを特徴とするものである。
【０００８】
請求項４記載の発明は、請求項１乃至請求項３のいずれかに記載の遊技機の可動装置において、前記フレキシブルフラットケーブルを収納するフレキシブルフラットケーブルケースを該本体の内部に取付け、該フレキシブルフラットケーブルの一方の端部が、該フレキシブルフラットケーブルケースに形成したスリットを介してフレキシブルフラットケーブルケース外部に導出されることを特徴とするものである。
【０００９】
請求項５記載の発明は、請求項４記載の遊技機の可動装置において、前記フレキシブルフラットケーブルケースの外部に導出された該フレキシブルフラットケーブルを、略９０°回転させて圧押するフレキシブルフラットケーブル押さえを備えたことを特徴とするものである。
【００１０】
請求項６記載の発明は、請求項３記載の遊技機の可動装置において、前記ゼネバ従動輪に遮蔽部を形成し、電子回路基板に備えたセンサによって該回転体の原点位置を検出することを特徴とするものである。
【発明の効果】
【００１１】
本発明に係る遊技機の可動装飾装置は、モータと、該モータの駆動力により本体に対して正逆両方向に回転可能とした回転体とからなる遊技機の可動装飾装置において、前記回転体の回転数を規制する回転数規制手段を備え、前記回転体規制手段により規制された範囲内で正逆回転する回転体の回転体軸の外周に、フレキシブルフラットケーブルを渦巻状に巻き付けた。これにより、回転体が回転した際には、その回転数が規制されているため、回転体軸に渦巻状に取付けられたフレキシブルフラットケーブルの巻き付きが緩む、または強くなる変化のみが生じることから、電気、電子部品への給電を維持することができ、さらにフレキシブルフラットケーブルに対する引張応力が少ないため、耐久性に優れる。
【図面の簡単な説明】
【００１２】
【図１】本実施形態の内部構造を示す背面斜視図である。
【図２】本実施形態の回転体の回転前を示す正面斜視図である。
【図３】本実施形態の回転体の回転前を示す背面斜視図である。
【図４】本実施形態のフレキシブルフラットケーブル取付箇所を示す拡大図である。
【図５】本実施形態のフレキシブルフラットケーブル取付前を示す拡大図である。
【図６】本実施形態の回転体の回転途中の内部構造を示す背面斜視図である。
【図７】本実施形態の回転体の回転途中を示す正面斜視図である。
【図８】本実施形態の回転体の回転途中を示す背面斜視図である。
【図９】本実施形態の分解図である。
【発明を実施するための形態】
【００１３】
以下に本発明の好ましい実施形態を示す。図２のように、本実施形態の可動装飾装置は、表カバー５と、裏カバー２２と、表カバー５に取付けられた回転体７と、回転体に設置された発光体６とからなる。回転体７は図７のようにモータの駆動力により回転すると同時に、発光体６は複数のＬＥＤを備え、電子回路基板からの給電によって、興趣を高めるために発光を行う。
【００１４】
図１、および図９に示すように、モータ１と、モータ１のモータギア２に噛合するアイドルギア列３と、アイドルギア列３に噛合する回転体ギア４とが、表カバー５の裏面に取付けられている。本実施形態において、回転体ギア４には、発光体６を備えた回転体７が固定されている。なお、本実施形態においては、モータ１を表カバー５の裏面の端部に取付け、モータ１の駆動力をモータギア２ならびにアイドルギア列３を介して回転体７へと伝導するものとしたが、これに限定されることはなく、モータ１の駆動力を回転体７に伝導できるものであればよい。
【００１５】
回転体７の回転数規制手段として、回転体ギア４に形成した１つの突起８と、ゼネバ従動輪９に複数形成した凹部１０とが、回転ギア４が一回転する毎に順に噛合するゼネバ機構を備えるものとし、さらにゼネバ従動輪９に凸部１１を形成し、表カバー５の裏面にはこの凸部１１が当接するストッパ１２を２か所に形成することにより、回転体７の回転数を規制するものとした。したがって、モータ１の駆動により回転体７が回転するとき、回転体ギア４に形成した突起８は、回転体ギア４が一回転する毎に、ゼネバ従動輪９に形成した凹部１０のうち、１０ａ、１０ｂ、１０ｃ、１０ｄ、１０ｅの順に噛合する。このとき、ゼネバ従動輪９に形成した凸部１１の回転角度は、ストッパ１２ａからストッパ１２ｂの角度範囲に規制されるため、回転体７の回転数を規制することが可能となる。本実施形態においては、凹部１０を５か所に形成したため、回転体７は正方向に４回転することができ、その後モータ１を逆回転させることにより、回転体７を逆方向に４回転させることができる。なお、回転体７の回転数はこれに限定されることはない。
【００１６】
回転体７に設置した発光体６への給電は、図４に示すように、回転体７に形成した回転体軸１３に設けられた給電先としての回転体側コネクタ１４と、電子回路基板１５に設けられた給電元としての基板側コネクタ１６とをフレキシブルフラットケーブル１７によって接続することにより行う。フレキシブルフラットケーブル１７は、平型の構造を有する薄型の電線であり、本実施形態においては、フレキシブルフラットケーブル１７を、回転体軸１３の外周に、渦巻状に巻き付けて取付けた。これにより、回転体７が正逆４回転する間には、フレキシブルフラットケーブル１７の回転体軸１３への巻き付きが緩くなる、または強くなる変化のみが生じ、この間発光体６への給電を継続して行うことができる。本実施形態においては、回転体軸１３に対してフレキシブルフラットケーブル１７を時計回りに巻き付けているため、回転体軸１３が反時計回りに４回転する間にフレキシブルフラットケーブル１７の巻き付きは強くなり、さらに回転体軸１３が時計回りに４回転して戻る際には、フレキシブルフラットケーブル１７の巻き付きは緩くなる。したがって、回転数規制手段により回転体７の回転数を規制した上で、フレキシブルフラットケーブル１７を回転体軸１３に巻き付けることにより、発光体６への給電が可能となり、さらにフレキシブルフラットケーブル１７に対する引張応力が少ないため、耐久性に優れる。
【００１７】
なお、フレキシブルフラットケーブル１７の巻き付け回数は、回転体７の回転数以上であることが望ましい。
【００１８】
図４のように、フレキシブルフラットケーブル１７を収納するために、フレキシブルフラットケーブルケース１８が表カバー５の裏面に固定されている。さらに、フレキシブルフラットケーブルケース１８にはスリット１９を形成し、このスリット１９を介してフレキシブルフラットケーブル１７の端部を外部に導出することが好ましい。
【００１９】
さらに、フレキシブルフラットケーブルケース１８の外部に導出されたフレキシブルフラットケーブル１７の端部を、電子回路基板１５方向に略９０°回転させて圧押するフレキシブルフラットケーブル押さえ２０を備えることが好ましく、フレキシブルフラットケーブル１７は、フレキシブルフラットケーブル押さえ２０とフレキシブルフラットケーブルケース１８との間を介して基板側コネクタ１６に接続されることが望ましい。
【００２０】
なお、図１のように、ゼネバ従動輪９に遮蔽部２１を形成し、この遮蔽部２１を、電子回路基板１５に備えた図示しないセンサが検知することにより、回転体７の原点位置を検出する構造とすることもできる。これにより、モータ１の脱調により回転体７の回転数を正確に制御できない場合においても、遮蔽部２１をセンサによって検知することにより回転体７の回転を制御することが可能となる。
【００２１】
以上のように、回転体７が回転した際には、その回転数が規制されているため、回転体軸１３に渦巻状に取付けられたフレキシブルフラットケーブル１７の巻き付きが緩む、または強くなる変化のみが生じることから、発光体６への給電を維持することができ、さらにフレキシブルフラットケーブル１７に対する引張応力が少ないため、耐久性に優れる。さらに、スリップリングを採用した際と比較して、より安価であるため、製作コストを低下させることが可能となる。
【符号の説明】
【００２２】
１  モータ
２  モータギア
３  アイドルギア
４  回転体ギア
５  表カバー
６  発光体
７  回転体
８  突起
９  ゼネバ従動輪
１０（１０ａ、１０ｂ、１０ｃ、１０ｄ、１０ｅ）凹部
１１  凸部
１２（１２ａ、１２ｂ）ストッパ
１３  回転体軸
１４  回転体側コネクタ
１５  電子回路基板
１６  基板側コネクタ
１７  フレキシブルフラットケーブル
１８  フレキシブルフラットケーブルケース
１９  スリット
２０  フレキシブルフラットケーブル押さえ
２１  遮蔽部
２２  裏カバー
【図１】
2014226452.tif 000003
【図２】
2014226452.tif 000004
【図３】
2014226452.tif 000005
【図４】
2014226452.tif 000006
【図５】
2014226452.tif 000007
【図６】
2014226452.tif 000008
【図７】
2014226452.tif 000009
【図８】
2014226452.tif 000010
【図９】
2014226452.tif 000011